(57)【要約】      （修正有）【課題】落下した可動障子によって指を挟めるという事態をなくすること。【解決手段】上げ下げ窓の縦枠に沿って昇降動する可動障子３の落下位置Ｐよりも手前の直前位置Ｐ１の下枠上面に、１つ以上の指詰め防止具Ｘを配設し、この指詰め防止具Ｘは、固定枠部材１１と、この固定枠部材にスライド自在に設けられた杆状の障害子２１と、固定枠部材に内装され、かつ該障害子を突出方向に常時付勢する付勢バネとから成る上げ下げ窓用の指詰め防止具。【選択図】図３
2008303634.tif 000002
【特許請求の範囲】
【請求項１】
上げ下げ窓の縦枠に沿って昇降動する可動障子３の落下位置Ｐよりも手前の直前位置Ｐ１の下枠上面に、１つ以上の指詰め防止具Ｘを配設し、この指詰め防止具Ｘは、固定枠部材１１と、この固定枠部材にスライド自在に設けられ、かつ操作部を有する杆状の障害子２１と、前記固定枠部材に内装され、かつ該障害子を突出方向に常時付勢する付勢バネ３１とから成り、前記障害子は、可動障子の下框の内面が該障害子の先端部から離れた場合には、その上面でもって落下する可動障子を受け得るように前記付勢バネのバネ力により固定枠部材から所定量突出し、一方、固定枠部材から突出している障害子２１を操作して該障害子２１を固定枠部材側に戻したとき、可動障子は完全に閉鎖位置まで下がることを特徴とする上げ下げ窓用の指詰め防止具。
【請求項２】
請求項１に於いて、障害子は、固定枠部材１１に略内装され、その先端部から可動障子の下框が離れた瞬間に付勢バネのバネ力により落下位置Ｐへ潜り込むことを特徴とする上げ下げ窓用の指詰め防止具。
【請求項３】
上げ下げ窓の縦枠に沿って昇降動する可動障子３の落下位置Ｐよりも手前の直前位置Ｐ１の下枠上面に、１つ以上の指詰め防止具Ｘ１を配設し、この指詰め防止具Ｘ１は、固定枠部材１１Ａと、操作部を有すると共にこの固定枠部材に貫通状態に設けられ、かつ水平方向にスライド自在に移動する杆状の障害子２１Ａと、前記固定枠部材に内装され、かつ該障害子を突出方向に常時付勢する付勢バネ３１Ａとから成り、前記障害子は、可動障子の下框の内面が該障害子の先端部から離れた場合には、その上面でもって落下する可動障子を受け得るように前記付勢バネのバネ力により固定枠部材から所定量突出し、一方、固定枠部材から突出している障害子２１を操作して該障害子２１を固定枠部材側に戻したとき、可動障子は完全に閉鎖位置まで下がることを特徴とする上げ下げ窓用の指詰め防止具。
【請求項４】
上げ下げ窓の縦枠に沿って昇降動する可動障子３の落下位置Ｐよりも手前の直前位置Ｐ１の下枠上面に、１つ以上の指詰め防止具Ｘ２を配設し、この指詰め防止具Ｘ２は、固定枠部材１１Ｂと、この固定枠部材に操作杆２３を介して設けられ、かつ水平方向に回転自在に移動する杆状の障害子２１と、前記固定枠部材に内装され、かつ前記障害子を突出方向に常時付勢する付勢バネ３１Ｂとから成り、前記障害子は、可動障子の下框の内面が該障害子の先端部から離れた場合には、その上面でもって落下する可動障子を受け得るように前記付勢バネのバネ力により固定枠部材から所定量突出し、一方、固定枠部材から突出している障害子２１を操作して該障害子２１を固定枠部材側に戻したとき、可動障子は完全に閉鎖位置まで下がることを特徴とする上げ下げ窓用の指詰め防止具。
【発明の詳細な説明】
【技術分野】
【０００１】
本発明は、上げ下げ窓用の指詰め防止具に関し、特に、落下する障子と窓枠の下枠との間に手や指を挟める事故を回避するための上げ下げ窓用の指詰め防止具に関する。
【背景技術】
【０００２】
この種の技術分野に於いて、落下する障子と窓枠の下枠との間に手や指を挟める事故を回避するために、例えば特許文献１の障子吊り係止具が提案されている。この障子吊り係止具は、上げ下げ窓の安全装置の一例である。この特許文献１は、（ａ）上げ下げ窓（障子と称される）が、吊索（吊り材）を介して上下動する点、（ｂ）障子の縦框に、係止部を有する基体、支軸、揺動ブレーキ片、吊索が係合するボス、揺動ブレーキ片を外方側に向けて付勢するバネ材とから成る障子吊り係止具（障子用ブレーキ装置）が配設されている点に特徴がある。
【０００３】
そして、この障子吊り係止具は、吊索が障子を吊持している状態では、揺動ブレーキ片のボス（突起状押し出し部）が吊索の張力によって横方向力を受けることにより、揺動ブレーキ片は、バネ材による付勢力に抗しながら窓縦枠から離間する位置に保持され、一方、吊索が切断した場合には、揺動ブレーキ片はバネ材による付勢力により外方側に突出して前記窓縦枠と接触する。
【０００４】
この特許文献１に記載の障子吊り係止具（障子用ブレーキ装置）は、揺動ブレーキ片が窓縦枠の内壁面に摩擦係合しながら、障子の落下を防止するというものである。
【０００５】
したがって、特許文献１に記載の障子吊り係止具に於いても、落下する障子と窓枠の下枠との間に手や指を挟める事故を回避するという目的を達成することができる。
【特許文献１】特開２００２−２４２５２７号公報
【発明の開示】
【発明が解決しようとする課題】
【０００６】
本発明の所期の目的は、万一、可動障子が閉鎖位置へと落下しても、落下する可動障子と窓枠の下枠との間に指を挟める事故を未然に回避することである。第２の目的は、必ずしも、複雑なブレーキ装置や係止具を障子の上框や縦框に取付ける必要がなく、或いは可動障子の框を加工・施工することなく、下枠に配設できるシンプル、かつ安価な道具により、本発明の所期の目的を達成することができることである。第３の目的は、取付けが簡単であり、かつ操作も容易であることである。第４の目的は、可動障子が上昇すると、障害子が落下位置（閉鎖位置）Ｐに自動的にセットすることである。
【課題を解決するための手段】
【０００７】
本発明の上げ下げ窓用の指詰め防止具は、上げ下げ窓の縦枠に沿って昇降動する可動障子３の落下位置Ｐよりも手前の直前位置Ｐ１の下枠上面に、１つ以上の指詰め防止具Ｘを配設し、この指詰め防止具Ｘは、固定枠部材１１と、この固定枠部材にスライド自在に設けられ、かつ操作部を有する杆状の障害子２１と、前記固定枠部材に内装され、かつ該障害子を突出方向に常時付勢する付勢バネ３１とから成り、前記障害子は、可動障子の下框の内面が該障害子の先端部から離れた場合には、その上面でもって落下する可動障子を受け得るように前記付勢バネのバネ力により固定枠部材から所定量突出し、一方、固定枠部材から突出している障害子２１を操作して該障害子２１を固定枠部材側に戻したとき、可動障子は完全に閉鎖位置まで下がることを特徴とする。
【０００８】
また、本発明の上げ下げ窓用の指詰め防止具は、上げ下げ窓の縦枠に沿って昇降動する可動障子３の落下位置Ｐよりも手前の直前位置Ｐ１の下枠上面に、１つ以上の指詰め防止具Ｘ１を配設し、この指詰め防止具Ｘ１は、固定枠部材１１Ａと、操作部を有すると共にこの固定枠部材に貫通状態に設けられ、かつ水平方向にスライド自在に移動する杆状の障害子２１Ａと、前記固定枠部材に内装され、かつ該障害子を突出方向に常時付勢する付勢バネ３１Ａとから成り、前記障害子は、可動障子の下框の内面が該障害子の先端部から離れた場合には、その上面でもって落下する可動障子を受け得るように前記付勢バネのバネ力により固定枠部材から所定量突出し、一方、固定枠部材から突出している障害子２１を操作して該障害子２１を固定枠部材側に戻したとき、可動障子は完全に閉鎖位置まで下がることを特徴とする。
【０００９】
さらに、本発明の上げ下げ窓用の指詰め防止具は、上げ下げ窓の縦枠に沿って昇降動する可動障子３の落下位置Ｐよりも手前の直前位置Ｐ１の下枠上面に、１つ以上の指詰め防止具Ｘ２を配設し、この指詰め防止具Ｘ２は、固定枠部材１１Ｂと、この固定枠部材に操作杆２３を介して設けられ、かつ水平方向に回転自在に移動する杆状の障害子２１と、前記固定枠部材に内装され、かつ前記障害子を突出方向に常時付勢する付勢バネ３１Ｂとから成り、前記障害子は、可動障子の下框の内面が該障害子の先端部から離れた場合には、その上面でもって落下する可動障子を受け得るように前記付勢バネのバネ力により固定枠部材から所定量突出し、一方、固定枠部材から突出している障害子２１を操作して該障害子２１を固定枠部材側に戻したとき、可動障子は完全に閉鎖位置まで下がることを特徴とする。
【発明の効果】
【００１０】
（ａ）図９の（ａ）〜（ｃ）は、本発明の作用・効果を示す。図９の（ｃ）から明らかなように、落下した可動障子によって指を挟めるという事態をなくすることができる。
（ｂ）図５で示すように、構造がシンプルである、部品点数が少ない、取付けが簡単である等の理由から、既存の建具の可動障子の下框を加工することなく、可動障子の落下位置Ｐよりも手前の直前位置Ｐ１の下枠上面に容易に配設することができる。
（ｃ）可障害子が開くと、自動的に待機待ちの状態となる。付言すると、障害子は、落下位置（閉鎖位置）Ｐに自動的にセットされるので、手間を要しない。
（ｄ）可動障子を閉鎖する場合、可動障子を若干持ち上げ、かつ図８の（ｂ）で示すように、障害子に設けた操作部を操作するだけで良いので、戻し操作が非常に簡単である。
【発明を実施するための最良の形態】
【００１１】
以下、図１乃至図９に示す本発明を実施するための最良の形態（第１実施例）により説明する。
【００１２】
（１）発明の実施の環境
図１は発明の実施の環境を示す概略説明図である。第１実施例の上げ下げ窓用の指詰め防止具Ｘは、下枠上面に所定間隔を有して固定的に配設されている。隣接する左右の指詰め防止具Ｘは左右同一なので、一つの構成だけ具体的に示す。
【００１３】
なお、本発明は、可動障子が窓枠の上部に配設した左右一組の巻上げ手段より昇降動する実施例に限定されるものではない。可動障子が左右一対のロック手段を介して所定位置に停止する実施例も含まれる。要は、落下可能な上げ下げ窓（可動障子）の落下面Ｐを基準として、下枠上面の適宜箇所Ｐ１に固定的に配設される。
【００１４】
さて、図１に於いて、１は上げ下げ窓（可動障子を含む建具のこと）である。上げ下げ窓１は、方形枠状に構成された窓枠２の内部空間に窓を構成する縦枠２Ａ、２Ｂに沿って昇降自在とされる内側の可動障子３並びに固定式外側障子４とを備えている。
【００１５】
また、窓枠２の上部に左右一組の巻上げ手段、例えば渦巻きバネ式バランサー装置５、５が配設され、これらの巻上げ手段５、５から、例えば上枠の吊り下げ落下ポイントにそれぞれ配設された案内滑車６、６を介して繰り出された左右一対の吊材（例えばワイヤ、ロープなど）７，７の下端部７ａ、７ａが、可動障子３に連結されている。
【００１６】
なお、２Ｃは窓枠の下方横枠（下枠）で、図１では、この下枠２Ｃの上面と可動障子３の下端部（下框）３ａとの間に間隙８が残っている状態を示す（可動障子３が多少上方に上がっている状態）。
【００１７】
また、前記渦巻きバネ式バランサー装置５は、内設された渦巻きバネにより内側障子３の重量と力学的に平衡関係を保ち、該内側障子３を小さな力で簡単に開閉できるようにすると共に、任意の高さ位置に停止可能とする。さらに、外側障子４についても同様に、上枠に配設した図示しないダブルバランサーを用いて上下方向に開閉自在の可動障子として吊持できる。
【００１８】
（２）指詰め防止具Ｘ
指詰め防止具Ｘは、窓枠２の下枠２Ｃの上面の中央部や中央部寄りの部位に一つだけ配設しても良いが、第１実施例では、指詰め防止具Ｘの損傷防止、可動障子の傾き防止等の観点から複数個、例えば２個、所要間隔を有して配設されている。指詰め防止具Ｘを２個配設する場合は、後述する障害子２１の手前側の後端部ｂを片手の指で一緒に操作することができるように隣接状態に配設する。
【００１９】
図１は、前述したように、合計２個の指詰め防止具Ｘを、下枠上面の左側に隣接状態に配設した一例である。もちろん、下枠上面の中央部や右側にも配設することができる。
【００２０】
第１実施例の指詰め防止具Ｘは、上げ下げ窓１の縦枠２Ａ、２Ｂに沿って昇降動する可動障子３の落下面（ここでは落下位置「Ｐ」）よりも手前の位置（ここでは設置上における直前位置「Ｐ１」）の下枠２Ｃの上面に図示しない固定手段を介して固定されている。なお、図５に於いて、落下位置「Ｐ」と設置上における直前位置「Ｐ１」は、説明の便宜上観念的に表示したものである。
【００２１】
指詰め防止具Ｘは、三方向の開口を有する固定枠部材１１と、この固定枠部材１１にスライド自在に設けられた長杆状の障害子２１と、前記固定枠部材１１に内装され、かつ該障害子２１を突出方向に常時付勢する付勢バネ３１とから成り、
前記障害子２１は、上昇時、可動障子３の下框３ａの内面が該障害子の先端部から離れた場合には、その上面でもって落下する可動障子３を受け得るように前記付勢バネ３１のバネ力により固定枠部材１１から所定量突出し、一方、固定枠部材１１の先端から突出する障害子２１の操作部２３ｂを操作して該障害子２１を固定枠部材側に戻したとき、可動障子３は完全に閉鎖位置まで下がる。
【００２２】
しかして、前記固定枠部材１１は、ケース状に形成され、その側壁に三方向（下、前、上）の開口或は切欠部分を有している。ここで、図４、図５乃至図７の各断面図、図８を参照にして、固定枠部材１１等の構成を説明する。
【００２３】
例えば図４の５−５線に基づく概略の縦段面説明図（図５）を基準にすると、１１ａは固定枠部材１１の後端（手前側の壁）、１１ｂはその先端、１１ｃは上壁、１１ｄは左右の側壁である。第１実施例では、底壁が存在しない。もちろん、必要に応じて案内底壁を設けても良いが、その場合に於いても、固定枠部材１１の下面と固定枠部材１１に案内される障害子２１の下面とは同一水平面にすることが望ましい。
【００２４】
さて、三方向の開口或は切欠部分であるが、１２は固定枠部材１１の下部に長手方向に形成された第１案内開口で、この第１案内開口１２は、後端１１ａ付近から先端１１ｂまで吹き抜け状に形成されている。したがって、第１案内開口１２と連通するように先端１１ｂに形成された第２案内開口１３はトンネル形状である。
【００２５】
一方、１４は、固定枠部材１１の上壁１１ｃに吹き抜け状に形成された第３案内開口である。第１ないし第３の案内開口１２、１３、１４は、長杆状の障害子２１及び付勢ハネ３１を収容する収容部１５に連通している。
【００２６】
なお、細部的事項の符号は割愛するが、前記後端１１ａの内面には、付勢バネ３１の後端部を支持する突起又は凹所のバネ端支持部が形成されている。また、第３案内開口を形成する先端部側の縁部は、障害子２１を所定位置に止める係止面の役割を果たす。その他、固定枠部材１１は、下枠２Ｃに接着剤、接着シート等を介して適宜に固定され得るが、例えば複数個の固着具を介して固定する場合には、固定枠部材１１の下端部に複数個の突片状の取付け部分を形成する。
【００２７】
次に、障害子２１の構成を説明する。障害子２１は、操作部２３ｂを有する所定長さの受け杆である。図８の（ａ）で示すように、障害子２１は固定枠部材１１に内装された付勢バネ３１のバネ力により所要量突出し、一方、図８の（ｂ）で示すように、指Ｆで固定枠部材１１の後端１１ａ側に引き戻すと、その突出した部分は固定枠部材１１の内部に引っ込む。
【００２８】
しかして、障害子２１は、固定枠部材１１に案内されて水平方向に移動する長杆状の受け杆本体２２と、この受け杆本体２２に内部の結合端部２３ａが固定され、かつ外端部に相当する操作部２３ｂが固定枠部材１１の上壁１１ｃから突出する操作杆２３とから成る。
【００２９】
ところで、前記操作杆２３は、例えば図７で示すように、断面Ｔ字形状に形成され、結合端部２３ａは障害子２１の内端部に形成した不番の嵌合穴に緊嵌状態に嵌まり込んでいる。また、付勢バネ３１の先端部は、障害子２１の内端部に形成した凹所又は突起状のバネ端支持部に支持されている。
【００３０】
（３）主な作用
図９を参照にして、本発明の主な作用を説明する。図９の（ａ）は、可動障子３の下端部（下框）３ａが下枠２Ｃの落下位置「Ｐ」に存在する場合を示す。この場合、可動障子３の下端部（下框）３ａは下枠２Ｃの上面に接触している。
【００３１】
一方、設置上の直前位置「Ｐ１」に存在する指詰め防止具Ｘの障害子２１は、その先端部ａが可動障子３の下端部（下框）の圧接している。何故ならば、第１実施例では、可動障子３は固定枠部材１１に内装された付勢バネ３１のバネ力により、常時突出する方向に付勢されているからである。
【００３２】
次に、図９の（ｂ）は、可動障子３が巻上げ手段５の駆動力により矢印Ａ方向へと上昇した場合を示す。可動障子３が巻上げ手段５の駆動力により上昇し始め、その下框３ａの内面が障害子２１の先端部ａから離れた場合には、障害子２１は付勢バネ３１のバネ力により、落下位置Ｐへと瞬時に所要量突出する。
【００３３】
図９の（ｃ）は、非常時、可動障子３が落下した場合である。この場合、指詰め防止具Ｘは、障害子２１は、障害子２１の受け杆本体２２の上面でもって、落下する可動障子３の下端部３ａを所定位置で受け止める。なお、図６の（ｃ）に於いて、可動障子３は完全に閉鎖しない（指を挟めない）位置で停止する。
【００３４】
上記に於いて、可動障子３を完全閉鎖の落下位置「Ｐ」まで下げる場合には、手でもって、一旦可動障子３を持ち上げ、かつ障害子２１の操作部２３ｂを摘み、手前へと引寄せる。そうすると、障害子２１の突出していた部分は、図８の（ｂ）で示すように引っ込むことから、可動障子３を落下位置「Ｐ」まで下げることができる。
【実施例】
【００３５】
第１実施例に於いて、特に図示しないが、操作性の向上を図るために、第１実施例の指詰め防止具Ｘを、所定間隔を有して左右に一組配設し、これらの障害子２１、２１の各操作部２３ｂ、２３ｂをバー状の連結手段で一体的に連結しても良い。このように構成すると、指１本でもって、左右の指詰め防止具の障害子を容易に引き戻すことができる。
【００３６】
次に、本発明の第２実施例と第３実施例を説明する。なお、これらの実施例の説明に当たって、第１実施例と同一の部分には、同一又は同様の符号を付して重複する説明を省略する。
【００３７】
図１０乃至図１２は第２実施例である。この第２実施例の指詰め防止具Ｘ１に於いて、第１実施例と主に異なる点は、（ａ）障害子２１Ａが固定枠部材１１Ａを水平状態に貫通している点、（ｂ）障害子２１Ａは、中途部にフランジ２５を有する受け杆本体２２と、この受け杆本体２２の後端部に同軸上に一体的に設けられた（例えば螺着した）操作杆２３とから成り、前記操作杆２３の鍔状の操作部２３ｂは、固定枠部材１１Ａの後端１１ａの外に、その上端部・左右端部がそれぞれ多少突出するように位置している点、（ｃ）付勢バネ３１Ａは、前記フランジ２５と後端１１ａの間に位置するように障害子２１Ａの後端部側に巻装されている点、（ｄ）障害子２１Ａの先端部側（フランジ２５から先端部ａまで）の突出部分を固定枠部材１１Ａ内に引き戻す場合には、前記後端１１ａ側の操作部２３ｂに指を掛けるようにして引き戻す点である。このように構成すると、各構成部材の組み合わせが容易になると共に、障害子２１Ａを引き戻し易いという利点がある。
【００３８】
図１３乃至図１５は第３実施例である。この第３実施例の指詰め防止具Ｘ２に於いて、第１実施例と主に異なる点は、固定枠部材１１Ｂが軸受けであり、一方、障害子２１Ｂが固定枠部材１１Ｂに付勢バネ３１Ｂのバネ力により水平方向に所定量回転することである。
【００３９】
まず、図１３を基準にして説明すると、１１ａは固定枠部材１１Ｂの後端、１１ｂは先端、１１ｃは上壁、１１ｄは手前の側壁である。前記上壁１１ｃの外面には、障害子２１Ｂの操作部２３ｂが突出状態に位置し、この操作部２３ｂは、図示しない指でもって矢印方向Ａ（反時計方向、戻す方向）に所定量回すことができる。この図１３では、固定枠部材１１Ｂに内装された付勢バネ３１Ｂのバネ力により、矢印方向Ｂ（時計方向）に所定量回している。つまり、障害子２１Ｂの先端部ａは、落下位置Ｐに回転移動（回転変位）している。
【００４０】
次に、図１４は、図１３の状態における水平断面説明図である。また、図１５は、障害子２１Ｂが直前位置Ｐ１に戻った状態における水平断面説明図である。図１４から明らかなように、固定枠部材１１Ｂの収容部１５Ａは、他方の側壁（実施例では左の側壁）と先端１１ｂがそれぞれ連通状態に切欠された切欠状となっている。
【００４１】
付言すると、固定枠部材１１Ｂは、第１実施例のように三方向の切欠状収容部１５Ａではなく、一側壁側の第１案内開口１２Ａとこれに交差方向に連通する先端側の第２案内開口１３Ａとから成る二方向の切欠状収容部１５Ａを有している。
【００４２】
一方、杆状の障害子２１Ｂは、長杆状の受け杆本体２２と、この受け杆本体２２に直交状態に結合する操作杆２３とから成り、前記操作杆２３は、固定枠部材１１Ｂの上壁と下壁の略中心部に軸架された縦軸２３ａと、この縦軸２３ａの上端部に連設する操作部２３ｂとから構成されている。
【００４３】
そして、前記縦軸２３ａに付勢バネ３１Ｂの中央部が巻装されている。付勢バネ３１Ｂは、その一端部が後端１１ａの内面に、他端部が障害子２１Ｂの内面にそれぞれ適宜に圧接している。
【００４４】
なお、前記受け杆本体２２は、一応、基端部側の後端部ｂと突出側の先端部ａに区別することができるが、第１実施例では、図１３で示すように、先端部ａの下面に固定枠部材１１Ｂの下面と同一平面状に位置する支持突起２８が設けられ、また、杆状の障害子２１Ｂは、適宜に切欠された内部空間２９を有している。
【００４５】
この第３実施例の指詰め防止具Ｘ２は、水平回転方式で落下ポイトＰへと移動するが、水平前進方式で落下ポイトＰへと移動する第１実施例（第１実施例）と同様の効果を得ることができる。
【産業上の利用可能性】
【００４６】
本発明は、主に錠前や建具の業界で利用される。
【図面の簡単な説明】
【００４７】
図１乃至図９は本発明の最良の実施例（第１実施例）を示す各説明図。図１０乃至図１２は本発明の最良の実施例（第２実施例）を示す各説明図。図１３乃至図１５は本発明の最良の実施例（第３実施例）を示す各説明図
【図１】本発明の使用環境を示す説明図。
【図２】図１の左下側の部分を拡大した概略説明図。
【図３】可動障子が所要量以上上昇した場合に於いて、障害子が落下位置Ｐに突出した（潜り込んだ）状態を示す概略説明図。
【図４】本発明の設置上の位置付け及び主要部を示す概略説明図。
【図５】図４の５−５線概略縦断面説明図。
【図６】適宜箇所の水平断面に基づく概略説明図。
【図７】図４の７−７線概略縦断面説明図。
【図８】図８の（ａ）は障害子が突出した状態の斜視図、一方、図８の（ｂ）は障害子が指の操作力により引っ込んだ状態の斜視図。
【図９】図９の（ａ）は可動障子が閉鎖或いは落下位置「Ｐ」に存在、図９の（ｂ）は、可動障子３がＡ方向に所要量以上上昇、図９の（ｃ）は、非常時、可動障子３が落下した場合である。
【図１０】第２実施例の設置上の位置付け及び主要部を示す概略説明図（図４と同様の説明図）。
【図１１】図１０の１１−１１線概略縦断面説明図。
【図１２】適宜箇所の水平断面に基づく概略説明図。
【図１３】第３実施例の概略説明図。
【図１４】適宜箇所の水平断面に基づく概略説明図（落下位置Ｐへ移動）。
【図１５】適宜箇所の水平断面に基づく概略説明図（直前位置Ｐ１へ戻る）。
【符号の説明】
【００４８】
Ｘ、Ｘ１、Ｘ２…指詰め防止具、１…上げ下げ窓、２…窓枠、２Ａ、２Ｂ…縦枠、２ａ…案内部分、２Ｃ…下枠、３…可動障子、３ａ…左右の側端部、３ａ…下端部（下框）、４…外側障子、５…巻上げ手段、７…吊材、７ａ…吊材の下端部、８…間隙、Ｐ…落下位置、Ｐ１…設置上の直前位置、１１、１１Ａ、１１Ｂ…固定枠部材、１１ａ…後端（後壁）、１１ｂ…先端、１１ｃ…上壁、１１ｄ…側壁、１２、１２Ａ…第１案内開口、１３，１３Ａ…第２案内開口、１４…第３案内開口、１５、１５Ａ…収容部、２１、２１Ａ、２１Ｂ…障害子、２２…受け杆本体、２３…操作杆、２３ａ…結合端部（枢支された縦軸）、２３ｂ…操作部、２５…フランジ、２８…支持突起、２９…内部空間、ａ…障害子の先端部、ｂ…障害子の後端部、３１、３１Ａ、３１Ｂ…付勢バネ、Ｆ…指。
【図１】
2008303634.tif 000003
【図２】
2008303634.tif 000004
【図３】
2008303634.tif 000005
【図４】
2008303634.tif 000006
【図５】
2008303634.tif 000007
【図６】
2008303634.tif 000008
【図７】
2008303634.tif 000009
【図８】
2008303634.tif 000010
【図９】
2008303634.tif 000011
【図１０】
2008303634.tif 000012
【図１１】
2008303634.tif 000013
【図１２】
2008303634.tif 000014
【図１３】
2008303634.tif 000015
【図１４】
2008303634.tif 000016
【図１５】
2008303634.tif 000017